(57)【要約】【課題】スロットマシンへのメダルの補給時に、ドアの開き量を遊技者が座席から起たずに済む程度にしつつ、実質的にメダル補給に必要な充分な空間領域が得られるようにした新規なメダルの補給構造を提供する。【解決手段】ドアの上部において、スロットパネル面よりも前方へせり出すように突出形成された遊技スイッチ配設台をスロットマシン本体の前方向へ可動になして、該遊技スイッチ配設台の背後にメダル補給のための空間領域を形成するようにした。【選択図】      図４
2004166791.tif 000002
【特許請求の範囲】
【請求項１】
スロットマシンの前面に形成された遊技スイッチ配設台を前方向へ可動にして、該遊技スイッチ配設台の背後に空間領域を形成することを特徴とするスロットマシンのメダル補給構造。
【請求項２】
前記遊技スイッチ配設台は、スロットマシンの本体内部に設置されたホッパー装置よりも高い位置に配設されることを特徴とする請求項１に記載されたスロットマシンのメダル補給構造。
【請求項３】
前記遊技スイッチ配設台は、遊技用始動レバーと、遊技ストップスイッチと、メダル投入口とを備えることを特徴とする請求項１ないし請求項２のいずれかに記載されたスロットマシンのメダル補給構造。
【請求項４】
前記遊技スイッチ配設台は、遊技ストップスイッチのみが配設されることを特徴とする請求項１ないし請求項３のいずれかに記載されたスロットマシンのメダル補給構造。
【請求項５】
前記空間領域を遊技スイッチ配設台下部のドアの上縁よりも高い位置に設定することを特徴とする請求項１ないし請求項４のいずれかに記載されたスロットマシンのメダル補給構造。
【請求項６】
前記ドアは、上開き式のドアとしたことを特徴とする請求項１ないし請求項５のいずれかに記載されたスロットマシンのメダル補給構造。
【請求項７】
前記遊技スイッチ配設台をスロットマシンの本体又はドアとは独立の可動構造にすることを特徴とする請求項１ないし請求項６のいずれかに記載されたスロットマシンのメダル補給構造。
【請求項８】
前記遊技スイッチ配設台は、独立に引出し自在に形成したことを特徴とする請求項１ないし請求項７のいずれかに記載されたスロットマシンのメダル補給構造。
【請求項９】
前記遊技スイッチ配設台を前記ドアと一体的な構造にすることを特徴とする請求項１ないし請求項８のいずれかに記載されたスロットマシンのメダル補給構造。
【請求項１０】
前記遊技スイッチ配設台は、上開きドアの上部に配設したことを特徴とする請求項１ないし請求項９のいずれかに記載されたスロットマシンのメダル補給構造。
【請求項１１】
前記遊技スイッチ配設台の背後にメダル補給通路を形成したことを特徴とする請求項１ないし請求項１０のいずれかに記載されたスロットマシンのメダル補給構造。
【請求項１２】
前記遊技スイッチ配設台の背後に傾斜部を形成したことを特徴とする請求項１ないし請求項１１のいずれかに記載されたスロットマシンのメダル補給構造。
【請求項１３】
前記遊技スイッチ配設台の背後と前記ホッパー装置との間にメダル補給通路を形成したことを特徴とする請求項１ないし請求項１２のいずれかに記載されたスロットマシンのメダル補給構造。
【請求項１４】
前記メダル補給通路は、前記遊技スイッチ配設台の背後と前記ホッパー装置との間に配設されるガイド部材により形成されることを特徴とする請求項１ないし請求項１３のいずれかに記載されたスロットマシンのメダル補給構造。
【請求項１５】
前記ガイド部材は、板状部材からなり、その左右に側壁が設けられてスロープを形成することを特徴とする請求項１ないし請求項１４のいずれかに記載されたスロットマシンのメダル補給構造。
【請求項１６】
前記ガイド部材の前記側壁には、前記ドア又は遊技スイッチ配設台の背後に設けられた突起と係合する長穴がその上方部に形成されることを特徴とする請求項１ないし請求項１５のいずれかに記載されたスロットマシンのメダル補給構造。
【請求項１７】
前記ガイド部材は、自由端同士が重ね合わされた二枚板で形成されることを特徴とする請求項１ないし請求項１６のいずれかに記載されたスロットマシンのメダル補給構造。
【請求項１８】
前記ガイド部材は、シート状部材であることを特徴とする請求項１ないし請求項１７のいずれかに記載されたスロットマシンのメダル補給構造。
【発明の詳細な説明】
【０００１】
【発明の属する利用分野】
この発明は、遊技機におけるスロットマシンのメダルの補給構造に関するものであり、詳しくは遊技者が着座したままでもメダルの補給が容易に行なえるようにしたスロットマシンのメダルの補給構造に関するものである。
【０００２】
【従来の技術】
従来よりスロットマシンの遊技機においては、流行にしたがって遊技機のモデルチェンジを行なう場合に、筐体ごと遊技機全部を取り替えることが行われていたが、近年では、機種替えの容易化を図るために、モデルチェンジする場合、必要とする部分だけを取り替えるようになってきている。特に最近のスロットマシンにおいては、遊技機のドラム装置、ドラム周辺表示板（上部前面化粧板）、遊技制御基板等をユニット化し、前面ドアを上下に分割してスロットユニットを前面ドアの開口に装着すると共に上部ドアを含むスロットユニットを筐体の一側に軸支するように構成し、スロットユニットを筐体に対して交換可能に構成することにより、スロットマシンの機種替えを容易にし、筐体側を再使用できるようにした分離型スロットマシンが知られている。例えば、特許文献１で提案されたスロットマシンは、遊技機の前面のパネル扉を上下に分割し、上方の前扉部分には、ヒンジ装置を介してリール装置と主基板とを備えた表示窓を有する上部ドアを本体箱に対して開閉可能に取り付け、下方部分には、交換可能な装飾パネルを有する下部ドアを取り付けて構成している。このスロットマシンでは、従来、新旧の機種交換は面倒で、手数が掛っていたのを、前扉を交換するだけで新旧の機種交換を迅速に且つ簡便に行なうことができるようにしたものである。そして、メダルの補給機構に関しては、本体箱内又は前扉部分にポッパー装置を取り付けた構造となっており、メダルの補給は横開きの前扉を開いて補給する構造となっている。また、これとは別の一体型スロットマシンにおいて、例えば、特許文献２では、メダルの補給機構として、スロットマシンの遊技用始動レバー、ストップスイッチ、メダル投入口が前方にせり出すように突出形成された本体前面中央部（遊技スイッチ配設台）の下方に、前面開口及び前面リッドを設け、前面リッドの下縁部近傍を中心として該リッド上縁部が前方へ傾いて前面開口を開く前傾姿勢に傾動可能に構成したものがある。
【０００３】
【特許文献１】特開平１０−５２５２５号公報（第４−６頁、図１、図４）
【特許文献２】特開平１１−１６９５１０号公報（第２−４頁、図１）
【０００４】
【発明が解決しようとする課題】
上記した特許文献１の発明では、メダルの補給は、ドアを開放してからホッパーへ投入する手順で行なわれている。ドアはその側部が筐体にヒンジ結合されており、メダルを補給する際に横開きの下部ドアを開けて補給するため、ある程度の空間的領域を確保しないと、つまりある程度下部ドアを開けないとメダルの補給がしづらく、このドアを閉鎖状態から少なくとも６０度程度は開かないとメダル投入ができず、このため、遊技者には一旦座席から起ってもらわなければならないという問題があった。そして、この横開きのドアを大きく開放する構造にすることは、その構造上、隙間部分からの不正行為の温床になりかねない問題もある。また、特許文献２の発明でも、スロットマシンの遊技用始動レバー、ストップボタン、メダル投入口等の遊技スイッチ配設台が前方にせり出して突出形成された本体前面中央部の下に、下縁部で軸支された前面リッド（ドア）を設けているため、この前面リッドの上縁を前方に突出形成された遊技スイッチ配設台を更に超えて前方に引き出さなければ、メダルを楽に補給するのに充分な開き量が得られず、しかしドアの開き量を大きくすれば遊技者に当たってしまう可能性がある。また、ホッパー容量をアップしてメダル補給の頻度を下げるためにホッパーを上方に嵩上げしてドアと同程度の高さまで拡張したとき、メダル補給が困難又は不能となるという問題があった。
上記特許文献１の発明の問題は、メダルを補給する際の下部ドアを横開きとした構造が技術的原因となっているものであり、この横開き構造のドアの開き量を可及的に少なくするためには両開きの観音開きドア構造にすることが考えられるが、このような観音開き構造とすると、特に特許文献１の図１の構造の場合、装飾パネルを分断し、メダル排出皿が設けられなくなるという更なる不都合が生じる。そうすると、特許文献１の発明の問題は、特許文献２の発明のように、スロットマシン本体の下部ドアをその下縁部近傍を中心として上縁部が前方へ傾いてドア開口を開く前傾姿勢に傾動可能に構成することが望ましい。したがって、特許文献２の発明の問題を改善することが必要となる。そのために、本発明者等は、下部ドアの傾動可能とした前傾姿勢のドア開度は特許文献２の発明と同程度としつつ、前方にせり出すように突出形成された遊技スイッチ配設台の構造に着目して工夫と研究を重ねたものである。
【０００５】
本発明は、上記問題に鑑み、その解決しようとする課題は、スロットマシンへのメダルの補給時に、ドアの開き量を遊技者が座席から起たずに済む程度にしつつ、実質的にメダル補給に必要な充分な空間領域が得られ、ホッパーを上方に嵩上げしてドアと同程度の高さまで拡張しても、メダル補給が容易であるようにするため、スロットの前方にせり出すように突出形成された遊技スイッチ配設台の存在により前記空間領域の確保が妨げられることがないようにした新規なメダルの補給構造を提供することを目的とする。
【０００６】
【課題を解決するための手段】
本発明は上記の課題を解決する為になされたものであり、その解決の為に講じた本発明の手段と、その作用は次のとおりである。
【０００７】
請求項１では、スロットマシンの前面に形成された遊技スイッチ配設台を前方向へ可動にして、該遊技スイッチ配設台の背後に空間領域を形成するスロットマシンのメダルの補給構造を提案する。
【０００８】
（作用）
該構成により、遊技スイッチ配設台の背後に前記空間領域を確保することができるので、ドアの開放領域を小さくでき、遊技スイッチ配設台の背後からメダルを補給し易くすると共に、ホッパー容量を大きくしてメダル補給量をアップさせてメダル補給頻度を下げることができる。
【０００９】
請求項２では、請求項１のスロットマシンのメダル補給構造において、前記遊技スイッチ配設台は、スロットマシンの本体内部に設置されたホッパー装置よりも高い位置に配設されるスロットマシンのメダル補給構造を提案する。
【００１０】
（作用）
該構成により、遊技スイッチ配設台の背後に前記空間領域を確保することができるので、ドアの開放領域を小さくでき、遊技スイッチ配設台の背後からメダルを補給し易くすると共に、メダル自体の重力による落下を利用することができるので、メダルの補給が容易であり、ホッパー容量を大きくしてメダル補給量をアップさせてメダル補給頻度を下げることができる。
【００１１】
請求項３では、請求項１ないし請求項２のスロットマシンのメダル補給構造において、前記遊技スイッチ配設台は、遊技用始動レバーと、遊技ストップスイッチと、メダル投入口とを備えるスロットマシンのメダル補給構造を提案する。
【００１２】
（作用）
該構成により、遊技スイッチ配設台にスイッチ類を一括形成することができるので、該遊技スイッチ配設台背後の配線に邪魔されることなくメダルを補給することができる。
【００１３】
請求項４では、請求項１ないし請求項３のスロットマシンのメダル補給構造において、前記遊技スイッチ配設台は、遊技ストップスイッチのみが配設されるスロットマシンのメダル補給構造を提案する。
【００１４】
（作用）
該構成により、メダルの補給のための引き出し空間を狭くかつ最小の範囲にすることができるので、デザイン面でのスロットマシン前面の体裁がよい。
【００１５】
請求項５では、請求項１ないし請求項４のスロットマシンのメダル補給構造において、前記空間領域を遊技スイッチ配設台下部のドアの上縁よりも高い位置に設定するスロットマシンのメダルの補給構造を提案する。
【００１６】
（作用）
該構成により、ドアの上縁よりも高い位置にある遊技スイッチ配設台の背後に前記空間領域を確保することができるので、ドアの開放領域を小さくでき、メダルを補給し易くすると共に、ホッパー容量を大きくさせてメダル補給量をアップさせてメダル補給頻度を下げることができる。
【００１７】
請求項６では、請求項１ないし請求項５のいずれかのスロットマシンのメダルの補給構造において、前記ドアは、上開き式のドアとしたスロットマシンのメダル補給構造を提案する。
【００１８】
（作用）
該構成により、ドアの上縁よりも高い位置にある遊技スイッチ配設台の背後に、上開き式のドアにより前記空間領域を確保することができるので、ドアの開放領域を小さくでき、メダルを補給し易くすると共に、ホッパー容量を大きくさせてメダル補給量をアップさせてメダル補給頻度を下げることができる。
【００１９】
請求項７では、請求項１ないし請求項６のいずれかのスロットマシンのメダルの補給構造において、前記遊技スイッチ配設台をスロットマシンの本体又はドアとは独立の可動構造にするスロットマシンのメダルの補給構造を提案する。
【００２０】
（作用）
該構成により、ドアの開放領域に制約を受けることなく、ドアの閉鎖状態にあってもメダルの補給をすることができ、遊技スイッチ配設台の引出しにより、その背後に前記空間領域を確保することができるので、ドアの開放領域を小さくしてメダルを補給し易くすると共に、ホッパー容量を大きくさせてメダル補給量をアップさせてメダル補給頻度を下げることができる。また、ドアの開放と同時にスロープを出現させることができ、メダルをさらに補給し易くすることができる。
【００２１】
請求項８では、請求項１ないし請求項７のいずれかのスロットマシンのメダルの補給構造において、前記遊技スイッチ配設台は、独立に引出し自在に形成したスロットマシンのメダル補給構造を提案する。
【００２２】
（作用）
該構成により、遊技スイッチ配設台を独立に引出し自在に形成したので、ドアの開放領域に制約を受けることなく、ドアの閉鎖状態にあってもメダルの補給をすることができ、遊技スイッチ配設台の引出しにより、その背後に前記空間領域を確保することができるので、ドアの開放領域を小さくしてメダルを補給し易くすると共に、ホッパー容量を大きくさせてメダル補給量をアップさせてメダル補給頻度を下げることができる。また、ドアの開放と同時にスロープを出現させることができ、メダルをさらに補給し易くすることができる。
【００２３】
請求項９では、請求項１ないし請求項８のいずれかのスロットマシンのメダルの補給構造において、前記遊技スイッチ配設台をドアと一体的な構造にするスロットマシンのメダルの補給構造を提案する。
【００２４】
（作用）
該構成により、従来は側部にあったヒンジを、ドアの下端に設け、ドア上部だけを下端を中心に解放可能な構造にするなどして、遊技スイッチ配設台を前方に引き出し可能にし、そのドア開放と同時にスロープを出現させることで、ドアの開放領域を小さくでき、メダルを補給し易くすると共に、ホッパー容量を大きくさせてメダル補給量をアップさせてメダル補給頻度を下げることができる。
【００２５】
請求項１０では、請求項１ないし請求項９のいずれかのスロットマシンのメダルの補給構造において、前記遊技スイッチ配設台は、上開きドアの上部に配設したスロットマシンのメダル補給構造を提案する。
【００２６】
（作用）
該構成により、遊技スイッチ配設台を上開きドアの上部に配設したことにより、ドアのヒンジをドアの下端に設け、ドア上部だけを下端を中心に解放可能な構造にするなどして、遊技スイッチ配設台を前方に引き出し可能にし、そのドア開放と同時にスロープを出現させることで、ドアの開放領域を小さくでき、メダルを補給し易くすると共に、ホッパー容量を大きくさせてメダル補給量をアップさせてメダル補給頻度を下げることができる。
【００２７】
請求項１１では、請求項１ないし請求項１０のいずれかのスロットマシンのメダルの補給構造において、前記遊技スイッチ配設台の背後にメダル補給通路を形成したスロットマシンのメダル補給構造を提案する。
【００２８】
（作用）
該構成により、遊技スイッチ配設台の背後にメダル補給通路のための前記空間領域を確保することができるので、ドアの開放領域を小さくでき、メダルを補給し易くすると共に、ホッパー容量を大きくしてメダル補給量をアップさせてメダル補給頻度を下げることができる。
【００２９】
請求項１２では、請求項１ないし請求項１１のいずれかのスロットマシンのメダル補給構造において、前記遊技スイッチ配設台の背後に傾斜部を形成したスロットマシンのメダル補給構造を提案する。
【００３０】
（作用）
該構成により、遊技スイッチ配設台の背後にメダル補給通路のための前記空間領域を確保することができるので、ドアの開放領域を小さくでき、傾斜部によりメダルをスムーズに案内することができるので、メダルの補給がし易いと共に、ホッパー容量を大きくしてメダル補給量をアップさせてメダル補給頻度を下げることができる。
【００３１】
請求項１３では、請求項１ないし請求項１２のいずれかのスロットマシンのメダルの補給構造において、前記遊技スイッチ配設台の背後と前記ホッパー装置との間にメダル補給通路を形成したスロットマシンのメダル補給構造を提案する。
【００３２】
（作用）
該構成により、遊技スイッチ配設台の背後と前記ホッパー装置との間にメダル補給通路のための前記空間領域を確保することができるので、ドアの開放領域を小さくでき、メダルを補給し易くすると共に、ホッパー容量を大きくしてメダル補給量をアップさせてメダル補給頻度を下げることができる。
【００３３】
請求項１４では、請求項１ないし請求項１３のいずれかのスロットマシンのメダルの補給構造において、前記メダル補給通路は、前記遊技スイッチ配設台の背後と前記ホッパー装置との間に配設されるガイド部材により形成されるスロットマシンのメダル補給構造を提案する。
【００３４】
（作用）
該構成により、遊技スイッチ配設台の背後と前記ホッパー装置との間にメダル補給通路が、ガイド部材により前記空間領域を確保することができるので、メダル補給の確実性が向上し、ドアの開放領域を小さくでき、メダルを補給し易くすると共に、ホッパー容量を大きくしてメダル補給量をアップさせてメダル補給頻度を下げることができる。
【００３５】
請求項１５では、請求項１ないし請求項１４のいずれかのスロットマシンのメダルの補給構造において、前記ガイド部材は、板状部材からなり、その左右に側壁が設けられてスロープを形成するスロットマシンのメダル補給構造を提案する。
【００３６】
（作用）
該構成により、遊技スイッチ配設台の背後と前記ホッパー装置との間にメダル補給通路が、スロープの左右に側壁を形成した板状部材のガイド部材により前記空間領域を確保することができるので、メダル補給の確実性が向上し、ドアの開放領域を小さくでき、メダルを補給し易くすると共に、ホッパー容量を大きくしてメダル補給量をアップさせてメダル補給頻度を下げることができる。
【００３７】
請求項１６では、請求項１ないし請求項１５のいずれかのスロットマシンのメダルの補給構造において、前記ガイド部材の前記側壁には、前記ドア又は遊技スイッチ配設台の背後に設けられた突起と係合する長穴がその上方部に形成されるスロットマシンのメダル補給構造を提案する。
【００３８】
（作用）
該構成により、ドア又は遊技スイッチ配設台の前方への引出し開放量が規制され、遊技スイッチ配設台の背後と前記ホッパー装置との間にメダル補給のための前記空間領域を確保することができるので、メダル補給の確実性が向上し、ドアの開放領域を小さく規制することができ、メダルを補給し易くすると共に、ホッパー容量を大きくしてメダル補給量をアップさせてメダル補給頻度を下げることができる。
【００３９】
請求項１７では、請求項１ないし請求項１６のいずれかのスロットマシンのメダルの補給構造において、前記ガイド部材は、自由端同士が重ね合わされた二枚板で形成されるスロットマシンのメダル補給構造を提案する。
【００４０】
（作用）
該構成により、遊技スイッチ配設台の背後と前記ホッパー装置との間のメダル補給通路が、二枚板形成のガイド部材によりドア等の開放量に追従して伸縮自在で追従性の自由度も高く、メダルの補給路が形成し易い利点を有すると共に、前記空間領域の確保も十分にできるので、メダル補給の確実性が向上し、ドアの開放領域を小さく規制することができ、メダルを補給し易くすると共に、ホッパー容量を大きくしてメダル補給量をアップさせてメダル補給頻度を下げることができる。
【００４１】
請求項１８では、請求項１ないし請求項１７のいずれかのスロットマシンのメダルの補給構造において、前記ガイド部材は、シート状部材であるスロットマシンのメダル補給構造を提案する。
【００４２】
（作用）
該構成により、遊技スイッチ配設台の背後と前記ホッパー装置との間のメダル補給通路が、シート状部材で形成されるガイド部材によりドア等の開放量にフレキシブルに追従して自由度も高く、メダルの補給路が形成し易い利点を有すると共に、前記空間領域の確保も十分にできるので、メダル補給の確実性が向上し、ドアの開放領域を小さく規制することができ、メダルを補給し易くすると共に、ホッパー容量を大きくしてメダル補給量をアップさせてメダル補給頻度を下げることができる。
【００４３】
【本発明の実施の形態】
図１はスロットマシンの全体概略図である。図２はスロットマシンの概略側面図である。図３は第１実施形態のメダル補給機構の説明図である。図４は遊技スイッチ配設台を前方に引き出した状態の説明図である。図５は第２実施形態のメダル補給機構の説明図である。図６は第３実施形態のメダル補給機構の説明図である。
【００４４】
図１において、スロットマシン１００は、スロットマシン本体である筐体１を有しており、その前面上部に遊技表示板、遊技表示器等を有する上部前面化粧体１０２（前面パネル）を備えている。上部前面化粧体１０２の下部のスロットマシン本体中央部には、スタートスイッチ３１１、ストップスイッチ３１２、ベットスイッチ３１３、クレジット設定・清算スイッチ３１４等の遊技操作スイッチ３１とメダル投入器３２とを備えた遊技スイッチ配設台２が配設されている。なお、遊技スイッチ配設台２は、ストップスイッチ３１２のみを備えたもので構成してもよく、前記遊技操作スイッチ３１のうち、適宜のスイッチを選択的に備えるもので構成してもよい。さらに、遊技スイッチ配設台２は筐体１の全幅に渡って設ける必要はなく、中央部を遊技スイッチ配設台２として、その左右に遊技スイッチ配設台２と連続的につながる形状の固定台部を別体に設けてもよい。
【００４５】
図２は、スロットマシン１００の側面概略図であり、筐体１の前面下部には、下部前面化粧体１０３を有するドア３が設けられており、該ドア３の裏側の筐体１の内部には、ホッパー装置５が配置されている。前記ドア３には、下部にメダル受け皿３０１が設けられている。ドア３は、両下縁部が筐体１に例えばヒンジで結合されており、施錠機構４の開錠により、ドア３の下縁部を中心としてドア３の上縁部が前方へ傾動してドア開口部を開くようにした上開き形式に構成されている。
【００４６】
【第１の実施の形態】
図３及び４は、本発明の第１の実施の形態の具体的構造を示す説明図であり、遊技スイッチ配設台２はドア３の上部に一体的に設けられている。遊技スイッチ配設台２の背後部には、メダル補給空間領域を確保するための傾斜部７が一部切欠きにより形成されている。ホッパー装置５の上縁開口部前端には、ヒンジ結合されたガイド部材６が設けられており、該ガイド部材６の他端は、ドア３が開けられたとき、遊技スイッチ配設台２の背後部において、その先端縁がスライド係合可能なように取り付けられており、ドア３の開きに連動してドアの開き方向に傾動して該ガイド部材６の先端縁が前記傾斜部７に係合することにより、メダル補給路のスロープを形成するように構成されている。このガイド部材６は、このようにメダル補給時のスロープを形成すると共に、ドア３の開放位置を規制するストッパーも兼ねているものである。このため、ドア３の開放と同時に、その開口部にメダルをホッパー装置５へ案内するするためのスロープを出現させるようにしており、ドア３の開放状態においては、前記傾斜部７の傾斜面に該ガイド部材６の先端縁が接することで、スロープ状の確実なメダルの補給通路を形成することができるものである。
【００４７】
したがって、ガイド部材６の左右には側壁が形成されるように板状部材から成形した構造のものがよく、前記ドア３に対するストッパー構造は、ガイド部材６の前記側壁の上方部に形成された長穴とドア３又は遊技スイッチ配設台２の背後に設けられた適宜の突起（例えば、ピン）などの係止構造で形成されるものである。より具体的には、図３において、遊技スイッチ配設台２に形成した傾斜部７の下縁部から後方に向けて一対のピン保持部を突設し、ガイド部材６の両側壁を挟むと共に、ピン保持部に設けられたピンが両側壁に形成された長穴に係合されており、長穴は当該ピン保持部の位置から両側壁の先端に渡って形成されているものである。なお、このガイド部材６は、スロープ部分が一枚構造であるものに換えて、二枚構造のガイド部材とし、一枚は一端を前記ホッパー装置５の上縁開口部前端に回動自在に固定し、他の一枚はその一端を前記遊技スイッチ配設台２の背後部に回動自在に固定して、ドア３が開放されたとき、他端の自由端同士が重ね合わされてスロープを形成するようにした二枚構造のガイド部材として形成することもできるものである。
さらに、このようなスロープの代わりに布製等のシート状の案内シュートを用いてもよく、シート状のものであればドア３の閉鎖時にしぼみ、開放時に広がる構造とすることができる。
【００４８】
【第１実施形態のメダルの補給機構】
このメダルの補給構造により、ドア３を開放した状態ではドア３の上縁背面部と上部前面化粧体１０２の下端部との間に、メダル補給に必要な空間領域を形成することができ、ガイド部材６がホッパー装置５の上縁に連結されていることから、ホッパーを嵩上げしてドアと同程度の高さまで拡張しても、ドア３よりも更に上方位置にあるメダル補給空間から遊技場係員がメダルを投入することにより、容易にメダルを補給することができるものである。そして、ドア３を閉じた状態においては、ドア３の上縁部と上部前面化粧体１０２の下端部とは隙間なく閉鎖されるものであるが、万一、この閉鎖部の隙間からカード等を差し込んでスロット本体内の遊技制御部等へ不正行為をなそうとしても、ガイド部材６の背面に突き当たるので、カード等の差し込み侵入を防ぐことができるものである。
【００４９】
【第２の実施の形態】
図５には本発明の第２の実施の形態を示している。第２の実施の形態と第１の実施の形態との相違は、ドア３を閉鎖したままの状態で、遊技スイッチ配設台２のみを引き出して傾動させ、メダル補給を可能に形成したことである。該遊技スイッチ配設台２の両側又は遊技スイッチ配設台２の一部に形成したアーム状の支持枠３０３の下端を筐体１の下縁部と枢軸的に結合することにより、遊技スイッチ配設台２のみを前方に傾動可能にして、該遊技スイッチ配設台２の背部にメダル補給の空間領域を形成するように構成している。この実施形態では、ドア３は、閉鎖したままの状態で、遊技スイッチ配設台２を前方に引出してメダル補給ができるので、係員の引き出し負担が軽く片手で楽に操作できる利点がある。
【００５０】
【第３の実施の形態】
図６には本発明の第３の実施の形態を示している。第３の実施の形態と第１の実施の形態との相違は、ドア３を閉鎖したままの状態で、遊技スイッチ配設台２のみを水平状又は斜め上方に引き出せるようにして、メダル補給を可能に形成したことである。遊技スイッチ配設台２の引出し構造は、遊技スイッチ配設台２の背部に設けたロッド８を筐体１に配設したシリンダ９から引出し、収納自在に構成している。この実施形態の構造では、ロッド８がメダル補給の邪魔にならないようにガイド部材６の両縁の側壁と干渉しないように、該側壁の外側の位置にロッド８を配設するのがよい。また、前記ロッド８とシリンダ９の構造に代えて、平板状部材とガイドレールとを組合せた引出し構造としてもよい。
【００５１】
【発明の効果】
本発明は、次の効果を奏するものである。
１．スロットマシンの前方へせり出すように突出形成された遊技スイッチ配設台を前方向へ可動にして、該遊技スイッチ配設台の背後にメダル補給のための空間領域を形成するようにした構成により、遊技スイッチ配設台の背後にメダル補給のための前記空間領域を確保することができるので、ドアの開放領域を小さくでき、メダルを補給し易くすると共に、ホッパー容量を大きくしてメダル補給量をアップさせてメダル補給頻度を下げることができる。
２．さらに、前記メダル補給のための空間領域を遊技スイッチ配設台下部のドアの上縁よりも高い位置に設定するようにした構成により、ドアの上縁よりも高い位置にある遊技スイッチ配設台の背後にメダル補給のための前記空間領域を確保することができるので、ドアの開放領域を小さくでき、メダルを補給し易くすると共に、ホッパー容量を大きくさせてメダル補給をアップさせてメダル補給頻度を下げることができる。
３．さらに、前記遊技スイッチ配設台をスロットマシンの本体又はドアとは独立の可動構造にする構成により、ドアの開放領域に制約を受けることなく、ドアの閉鎖状態にあってもメダルの補給をすることができ、遊技スイッチ配設台の引出しにより、その背後にメダル補給のための前記空間領域を確保することができるので、ドアの開放領域を小さくしてメダルを補給し易くすると共に、ホッパー容量を大きくさせてメダル補給をアップさせてメダル補給頻度を下げることができる。また、ドアの開放と同時にスロープを出現させることができ、メダルをさらに補給し易くすることができる。
４．さらに、前記遊技スイッチ配設台を上開きドアと一体的な構造にする構成により、従来は側部にあったヒンジを、ドアの下端に設け、ドア上部だけを下端を中心に解放可能な構造にするなどして、遊技スイッチ配設台を前方に引き出し可能にし、そのドア開放と同時にスロープを出現させることで、ドアの開放領域を小さくでき、メダルを補給し易くすると共に、ホッパー容量を大きくさせてメダル補給をアップさせてメダル補給頻度を下げることができる。
【図面の簡単な説明】
【図１】スロットマシンの全体概略図である。
【図２】スロットマシンの概略側面図である。
【図３】第１実施形態のメダル補給機構の説明図である。
【図４】遊技スイッチ配設台を前方に引き出した状態の説明図である。
【図５】第２実施形態のメダル補給機構の説明図である。
【図６】第３実施形態のメダル補給機構の説明図である。
【符号の説明】
１００        スロットマシン
１        筐体
２        遊技スイッチ配設台
３        ドア
５        ホッパー装置
６        ガイド部材
７        傾斜部
８        ロッド
【図１】
2004166791.tif 000003
【図２】
2004166791.tif 000004
【図３】
2004166791.tif 000005
【図４】
2004166791.tif 000006
【図５】
2004166791.tif 000007
【図６】
2004166791.tif 000008